(57)【要約】【課題】スクランブラを制御するスクランブラ制御部またはスクランブラとスクランブラ制御部との間の制御線で障害が発生しても、スクランブル鍵の整合を保持し、スクランブル処理を停滞することなく引き続き行なえるようにしたスクランブル放送信号送出装置を提供する。【解決手段】ＥＣＭ送出装置１１からスクランブラ１３へ制御線１４を介して送信されたスクランブル制御情報を、スクランブラ１３の内部メモリ１３１に記憶してスクランブル処理に用いるようにし、ＥＣＭ送出装置１１から更新されたスクランブル制御情報が到来した場合に、内部メモリ１３１に記憶されたスクランブル制御情報を更新し、制御応答情報を制御線１４を介してＥＣＭ送出装置１１に送信する。ＥＣＭ送出装置では、更新したスクランブル制御情報を送出し、この送出に対しスクランブラ１３から制御応答情報が返送された場合のみＥＣＭパケットを更新するようにしている。【選択図】      図１
2007235326.tif 000002
【特許請求の範囲】
【請求項１】
制御伝送路から送られるスクランブル制御情報によりデジタル放送信号をスクランブル処理してスクランブル放送信号として送出するスクランブル処理部と、このスクランブル処理部に対し、前記スクランブル制御情報を前記制御伝送路を介して供給すると共に、受信機側で前記スクランブル放送信号を前記デジタル放送信号に戻すために必要なスクランブル鍵情報を含むパケットを前記デジタル放送信号に多重するスクランブル処理制御部とを備えたスクランブル放送信号送出装置において、
前記スクランブル処理部は、
前記スクランブル処理制御部から前記制御伝送路を介して到来したスクランブル制御情報を記憶する記憶手段と、
この記憶手段に記憶された前記スクランブル制御情報に基づいて、前記デジタル放送信号をスクランブル処理する処理手段と、
前記スクランブル処理制御部から更新されたスクランブル制御情報が前記制御伝送路を介して到来した場合に、前記記憶手段に記憶されたスクランブル制御情報を更新し、更新後に前記スクランブル処理制御部に対し前記更新スクランブル制御情報を受信した旨を示す応答情報を前記制御伝送路を介して送信する応答送信手段とを備え、
前記スクランブル処理制御部は、
前記スクランブル制御情報及び前記パケットの更新時に、前記スクランブル処理部に対し前記制御伝送路を介して更新スクランブル制御情報を送出し、この送出に対し前記スクランブル処理部から送られる応答情報を受信する通信手段と、
この通信手段の通信結果に基づいて、前記パケットを更新し、この更新パケットを前記デジタル放送信号に多重させる更新パケット生成手段とを備えたことを特徴とするスクランブル放送信号送出装置。
【請求項２】
前記更新制御パケット生成手段は、前記更新スクランブル制御情報の送出に対し前記スクランブル処理部から前記応答情報が返送されない、または異常な応答情報が返送された場合に、前記パケットの更新処理を停止することを特徴とする請求項１記載のスクランブル放送信号送出装置。
【請求項３】
前記通信手段は、前記更新パケット生成手段による前記パケットの更新処理が停止されている状態で、前記スクランブル処理部に対し前記制御伝送路を介して更新スクランブル制御情報を送出することを特徴とする請求項１記載のスクランブル放送信号送出装置。
【請求項４】
前記更新パケット生成手段は、前記応答情報が正常に送られてきた場合に、更新時の第１スクランブル鍵情報及びこの第１スクランブル鍵情報の更新後の第２スクランブル鍵情報を含めたパケットを生成して前記デジタル放送信号に多重することを特徴とする請求項１記載のスクランブル放送信号送出装置。
【請求項５】
制御伝送路から送られるスクランブル制御情報によりデジタル放送信号をスクランブル処理してスクランブル放送信号として送出するスクランブル処理部と、このスクランブル処理部に対し、前記スクランブル制御情報を前記制御伝送路を介して供給すると共に、受信機側で前記スクランブル放送信号を前記デジタル放送信号に戻すために必要なスクランブル鍵情報を含むパケットを前記デジタル放送信号に多重するスクランブル処理制御部とを備えたスクランブル放送信号送出装置の制御方法において、
前記スクランブル制御情報及び前記パケットの更新時に、前記スクランブル処理制御部から前記スクランブル処理部に対し前記制御伝送路を介して更新スクランブル制御情報を送出し、
前記スクランブル処理部において、前記スクランブル処理制御部から到来した更新スクランブル制御情報をメモリに記憶し、
前記更新スクランブル制御情報に応じて前記スクランブル処理制御部に対し前記更新スクランブル制御情報を受信した旨を示す応答情報を前記制御伝送路を介して送信し、
前記スクランブル処理制御部において、前記応答情報の受信結果に基づいて前記パケットを更新し、この更新パケットを前記デジタル放送信号に多重させるようにしたことを特徴とするスクランブル放送信号送出装置の制御方法。
【発明の詳細な説明】
【技術分野】
【０００１】
この発明は、例えばデジタル放送において、有料放送やコンテンツ保護を目的としてＴＳ（Transport Stream）をスクランブル処理して送出するスクランブル放送信号送出装置及びスクランブル放送信号送出装置の制御方法に関する。
【背景技術】
【０００２】
近年、地上波放送システムにおいては、デジタル放送が開始されている。このデジタル放送においては、ＭＰＥＧ２（Moving Picture Experts Group 2）により、番組で使用するビデオ、オーディオそれぞれのＴＳパケットを放送局で多重伝送し、受信機側で各ＴＳパケットを復調し、適宜タイミングを合わせて合成再生することで、放送番組を視聴可能としている。
【０００３】
また、デジタル放送において、放送局でＴＳパケットにスクランブルをかけて送出し、受信機側で契約者に与えられたスクランブル鍵を用いてスクランブルＴＳパケットをデスクランブルすることで、契約者を対象とした放送番組を視聴可能とするシステムも提案されている。
【０００４】
ところで、上記システムでは、ＴＳパケットをスクランブル処理するスクランブラの制御処理、及びスクランブル鍵を含むＥＣＭ(Entitlement Control Message)パケットの送出処理を行うＥＣＭ送出装置で障害が発生すると、この障害が復旧するまで、ノンスクランブルや受信機側で番組を視聴できない状態となる。また、スクランブラとＥＣＭ送出装置との間の制御線に障害が発生すると、ＥＣＭパケット内のスクランブル鍵と、スクランブラでＴＳパケット内のコンテンツに施すためのスクランブル鍵とが不整合となる。
【０００５】
なお、従来では、スクランブル放送番組と非スクランブル放送番組との切り替えまたは非スクランブル放送番組とスクランブル放送番組との切り替えの際に発生するスクランブル鍵の不整合を補正する手法が提案されている（例えば、特許文献１）。
【特許文献１】特開２００１−１２８１３６号公報。
【発明の開示】
【発明が解決しようとする課題】
【０００６】
しかし、上記手法では、スクランブル放送番組と非スクランブル放送番組との切り替えまたは非スクランブル放送番組とスクランブル放送番組との切り替えの際に発生するスクランブル鍵の不整合を補正するものであって、ＥＣＭ送出装置に障害またはスクランブラとＥＣＭ送出装置との間の制御線に障害が発生した場合におけるスクランブル鍵の不整合を補正するものではない。
【０００７】
そこで、この発明の目的は、スクランブラを制御するスクランブラ制御部またはスクランブラとスクランブラ制御部との間の制御線で障害が発生しても、スクランブル鍵の整合を保持し、スクランブル処理を停滞することなく引き続き行なえるようにしたスクランブル放送信号送出装置及びスクランブル放送信号送出装置の制御方法を提供することにある。
【課題を解決するための手段】
【０００８】
この発明は、上記目的を達成するために、以下のように構成される。  
制御伝送路から送られるスクランブル制御情報によりデジタル放送信号をスクランブル処理してスクランブル放送信号として送出するスクランブル処理部と、このスクランブル処理部に対し、スクランブル制御情報を制御伝送路を介して供給すると共に、受信機側でスクランブル放送信号をデジタル放送信号に戻すために必要なスクランブル鍵情報を含むパケットをデジタル放送信号に多重するスクランブル処理制御部とを備えたスクランブル放送信号送出装置において、スクランブル処理部は、スクランブル処理制御部から制御伝送路を介して到来したスクランブル制御情報を記憶する記憶手段と、この記憶手段に記憶されたスクランブル制御情報に基づいて、デジタル放送信号をスクランブル処理する処理手段と、スクランブル処理制御部から更新されたスクランブル制御情報が制御伝送路を介して到来した場合に、記憶手段に記憶されたスクランブル制御情報を更新し、更新後にスクランブル処理制御部に対し更新スクランブル制御情報を受信した旨を示す応答情報を制御伝送路を介して送信する応答送信手段とを備え、スクランブル処理制御部は、スクランブル制御情報及びパケットの更新時に、スクランブル処理部に対し制御伝送路を介して更新スクランブル制御情報を送出し、この送出に対しスクランブル処理部から送られる応答情報を受信する通信手段と、この通信手段の通信結果に基づいて、パケットを更新し、この更新パケットをデジタル放送信号に多重させる更新制御パケット生成手段とを備えるようにしたものである。
【０００９】
この構成によれば、スクランブル処理制御部からスクランブル処理部へ制御伝送路を介して転送されたスクランブル制御情報は、スクランブル処理部にてメモリに記憶され、スクランブル処理部はメモリに記憶されたスクランブル制御情報に基づいてデジタル放送信号をスクランブル処理し、スクランブル処理制御部から更新されたスクランブル制御情報が到来した場合に、メモリに記憶されたスクランブル制御情報を更新し、この更新後に応答情報を制御伝送路を介してスクランブル処理制御部に転送する。一方、スクランブル処理制御部は、更新したスクランブル制御情報を送出し、この送出に対しスクランブル処理部から応答情報が返送された場合のみデジタル放送信号に多重するパケットを更新するようにしている。
【００１０】
従って、スクランブル処理制御部に障害が発生したとしても、または制御伝送路で断線などの障害が発生したとしても、スクランブル処理部のメモリに記憶されたスクランブル制御情報及びスクランブル処理制御部で生成されるパケットが更新されることがないので、スクランブル鍵の整合を保持し、スクランブル処理を停滞することなく引き続き行なうことが可能となる。
【００１１】
通信手段は、更新制御パケット生成手段によるパケットの更新処理が停止されている状態で、スクランブル処理部に対し制御伝送路を介して更新スクランブル制御情報を送出することを特徴とする。
【００１２】
この構成によれば、制御伝送路に障害が発生したと判断されてパケットの更新処理が停止されたとしても、更新スクランブル制御情報を送信し続けるようにしているので、例えば制御伝送路の障害が一時的なものでその後正常に戻った場合に、保守員の復旧操作を待たずにスクランブル処理部のメモリに記憶されたスクランブル制御情報及びスクランブル処理制御部で生成されるパケットを更新することができる。
【００１３】
更新制御パケット生成手段は、応答情報が正常に送られてきた場合に、更新時の第１スクランブル鍵情報及びこの第１スクランブル鍵情報の更新後の第２スクランブル鍵情報を含めたパケットを生成してデジタル放送信号に多重することを特徴とする。
【００１４】
この構成によれば、パケットに第１スクランブル鍵情報及び第２スクランブル鍵情報を重畳しておくことで、万一応答情報に異常があって、スクランブル処理部のメモリには第２スクランブル鍵情報を含む更新スクランブル制御情報が書き込まれたとしても、スクランブル鍵の整合を保持することができる。
【発明の効果】
【００１５】
以上詳述したようにこの発明によれば、スクランブラを制御するスクランブラ制御部またはスクランブラとスクランブラ制御部との間の制御線で障害が発生しても、スクランブル鍵の整合を保持し、スクランブル処理を停滞することなく引き続き行なえるようにしたスクランブル放送信号送出装置及びスクランブル放送信号送出装置の制御方法を提供することができる。
【発明を実施するための最良の形態】
【００１６】
以下、この発明の実施形態について図面を参照して詳細に説明する。  
図１は、この発明に係わるスクランブル放送信号送出装置の一実施形態の構成を示すブロック図である。
【００１７】
このスクランブル放送信号送出装置は、スクランブル処理制御部としてのＥＣＭ送出装置１１と、多重化装置１２と、スクランブル処理部としてのスクランブラ１３とから構成される。なお、ここでは説明を簡単にするため、多重化装置１２の入力チャンネル（系統）数を２チャンネルとし、出力チャンネル数を１チャンネルとする。
【００１８】
この実施形態では、多重化装置１２の第１入力チャンネルにＥＣＭ送出装置１１を接続し、出力チャンネルにスクランブラ１３を接続している。また、第２入力チャンネルには、ＭＰＥＧ２によるコンテンツＴＳが供給される。
【００１９】
このコンテンツＴＳは、多重化装置１２によりＥＣＭ送出装置１１から送出されスクランブル鍵を含むＥＣＭパケットと多重化されてＴＳに生成された後、スクランブラ１３によりＥＣＭパケットに含まれるスクランブル鍵と同一のスクランブル鍵を用いてスクランブル処理され、スクランブルＴＳとして送出される。
【００２０】
ところで、この実施形態では、ＥＣＭ送出装置１１に、スクランブル制御情報通信部１１１と、ＥＣＭパケット送出・更新制御部１１２とが設けられている。スクランブル制御情報通信部１１１は、所定の更新周期ごとに、上記第１入力チャンネルとは別の制御線１４を介してスクランブラ１３との間で通信を行なうもので、スクランブラ１３に対し更新したスクランブル鍵をスクランブル対象情報（スクランブル対象ＥＳ  ＰＩＤ）を含むスクランブル制御情報を送出するとともに、このスクランブル制御情報に応じてスクランブラ１３が送信する制御応答情報を受信する。
【００２１】
ＥＣＭパケット送出・更新制御部１１２は、上記スクランブル制御情報通信部１１１による制御応答情報の受信結果に基づいて、更新したスクランブル鍵（Ｋｓ＃２）及び次回の更新スクランブル鍵（Ｋｓ＃３）を含むＥＣＭパケットを生成し、多重化装置１２に送出する。
【００２２】
一方、スクランブラ１３は、内部メモリ１３１と、スクランブル制御情報通信部１３２とを備えている。内部メモリ１３１には、スクランブル制御情報受信時のスクランブル鍵（Ｋｓ＃１）を含むスクランブル制御情報が格納されている。
【００２３】
スクランブル制御情報通信部１３２は、制御線１４を介してＥＣＭ送出装置１１との間で通信を行なうもので、ＥＣＭ送出装置１１から送られる更新スクランブル制御情報を受信し内部メモリ１３１にスクランブル鍵（Ｋｓ＃１）を更新スクランブル鍵（Ｋｓ＃２）に更新するとともに、ＥＣＭ送出装置１１に対し制御応答情報を送信する。
【００２４】
上記構成において、以下にその処理動作を説明する。  
スクランブル放送信号送出装置では、ＥＣＭパケット送出とスクランブル制御とを並行して行なうため、制御線１４上で通信障害が発生した場合、図２に示すように、ＥＣＭパケット内のスクランブル鍵（Ｋｓ＃２，Ｋｓ＃３）と、コンテンツに施すスクランブル鍵（Ｋｓ＃１）が不整合となる。
【００２５】
そこで、この実施形態では、図３に示すように、ＥＣＭ送出装置１１からスクランブラ１３へスクランブル制御情報を送信して、スクランブラ１３の内部メモリ１３１にスクランブル制御情報を格納し、このスクランブル制御情報の受信に対しスクランブラ１３からＥＣＭ送出装置１１へ制御応答情報を返送する。そして、ＥＣＭ送出装置１１では、正常な制御応答情報を受信した場合のみ、更新したスクランブル鍵（Ｋｓ＃２，Ｋｓ＃３）を含めたＥＣＭパケットを生成し、多重化装置１２に出力する。
【００２６】
従って、制御線１４上で通信障害が発生したとしても、図４に示すように、ＥＣＭパケット内のスクランブル鍵（Ｋｓ＃２，Ｋｓ＃３）と、コンテンツに施すスクランブル鍵（Ｋｓ＃２）との整合がとれるようになる。
【００２７】
図５及び図６は、それぞれＥＣＭ送出装置１１及びスクランブラ１３の制御処理手順及びその処理内容を示すフローチャートである。
【００２８】
ＥＣＭ送出装置１１は、ステップＳＴ５ａにおいて、スクランブル鍵の更新時を監視しており、更新時になると、スクランブル鍵（Ｋｓ＃２）を含めたスクランブル制御情報を作成あるいは更新する（ステップＳＴ５ｂ）。そして、作成または更新したスクランブル制御情報を制御線１４を介してスクランブラ１３に送信する（ステップＳＴ５ｃ）。
【００２９】
これに対しスクランブラ１３は、ＥＣＭ送出装置１１からスクランブル制御情報が受信されるごとに（ステップＳＴ６ａ）、内部メモリ１３１に格納されているスクランブル鍵（Ｋｓ＃１）を更新スクランブル鍵（Ｋｓ＃２）に更新し（ステップＳＴ６ｂ）、ＥＣＭ送出装置１１に対し制御応答情報を送信する（ステップＳＴ６ｃ）。
【００３０】
これに対しＥＣＭ送出装置１１は、ステップＳＴ５ｄにおいてスクランブラ１３からの制御応答情報の到来を監視している。この状態でスクランブラ１３から制御応答情報を到来すると、更新スクランブル鍵（Ｋｓ＃２，Ｋｓ＃３）を含むＥＣＭパケットを作成し（ステップＳＴ５ｅ）、このＥＣＭパケットを多重化装置１２に送信する（ステップＳＴ５ｆ）。
【００３１】
なお、上記ステップＳＴ５ｄにおいて、応答未受信や異常応答の場合、ＥＣＭ送出装置１１はＥＣＭパケット更新を行なわない。また、異常時においても、スクランブル鍵更新間隔ごとのスクランブル制御は継続させる。
【００３２】
このようにすると、図７に示すように、スクランブル制御情報の送信が失敗した場合、スクランブラ１３は内部メモリ１３１に格納されているスクランブル鍵（Ｋｓ＃１）を用いてコンテンツＴＳをスクランブル処理し、ＥＣＭ送出装置１１はスクランブラ１３からの制御応答情報を受信しないので、スクランブル鍵（Ｋｓ＃１，Ｋｓ＃２）を含むＥＣＭパケットを多重化装置１２に出力することになる。このため、ＥＣＭパケット内のスクランブル鍵（Ｋｓ＃１，Ｋｓ＃２）と、コンテンツに施すスクランブル鍵（Ｋｓ＃１）との整合がとれるようになる。
【００３３】
一方、図８に示すように、制御応答情報の送信が失敗した場合、スクランブラ１３は内部メモリ１３１に格納されているスクランブル鍵（Ｋｓ＃１）をスクランブル鍵（Ｋｓ＃２）に更新するが、ＥＣＭ送出装置１１はスクランブラ１３からの制御応答情報を受信しないので、スクランブル鍵（Ｋｓ＃１，Ｋｓ＃２）を含むＥＣＭパケットを多重化装置１２に出力することになる。このような場合でも、ＥＣＭパケット内のスクランブル鍵（Ｋｓ＃１，Ｋｓ＃２）と、コンテンツに施すスクランブル鍵（Ｋｓ＃２）との整合がとれるようになる。
【００３４】
以上のように上記実施形態では、ＥＣＭ送出装置１１からスクランブラ１３へ制御線１４を介して送信されたスクランブル制御情報が、スクランブラ１３の内部メモリ１３１に記憶され、スクランブラ１３にて内部メモリ１３１に記憶されたスクランブル制御情報に基づいてコンテンツＴＳをスクランブル処理し、ＥＣＭ送出装置１１から更新されたスクランブル制御情報が到来した場合に、内部メモリ１３１に記憶されたスクランブル制御情報を更新し、この更新後に制御応答情報を制御線１４を介してＥＣＭ送出装置１１に送信する。一方、ＥＣＭ送出装置では、更新したスクランブル制御情報を送出し、この送出に対しスクランブラ１３から制御応答情報が返送された場合のみＥＣＭパケットを更新するようにしている。
【００３５】
従って、ＥＣＭ送出装置１１に障害が発生したとしても、または制御線１４で断線などの障害が発生したとしても、スクランブラ１３の内部メモリ１３１に記憶されたスクランブル制御情報及びＥＣＭ送出装置１１で生成されるＥＣＭパケットが更新されることがないので、スクランブル鍵の整合を保持し、スクランブル処理を停滞することなく引き続き行なうことができる。
【００３６】
また、上記実施形態では、ＥＣＭ送出装置１１において、制御線１４に障害が発生したと判断されてＥＣＭパケットの更新処理が停止されたとしても、更新周期ごとにスクランブル制御情報を送信し続けるようにしているので、例えば制御線１４の障害が一時的なものでその後正常に戻った場合に、保守員の復旧操作を待たずにスクランブラ１３の内部メモリ１３１に記憶されたスクランブル制御情報及びＥＣＭ送出装置１１で生成されるＥＣＭパケットを更新することができる。
【００３７】
さらに、上記実施形態では、ＥＣＭ送出装置１１において、ＥＣＭパケットにスクランブル鍵（Ｋｓ＃１，Ｋｓ＃２）を含めておくことで、万一制御応答情報に異常があって、スクランブラ１３の内部メモリ１３１にはスクランブル鍵（Ｋｓ＃２）を含むスクランブル制御情報が書き込まれたとしても、スクランブル鍵の整合を保持することができる。
【００３８】
また、この他にも、ＭＰＥＧ２符号化方式以外で規定されるデジタル放送信号を取り扱う場合やＥＣＭ送出装置及びスクランブラの制御手順等についても、この発明の要旨を逸脱しない範囲で種々変形して実施できる。
【図面の簡単な説明】
【００３９】
【図１】この発明に係わるスクランブル放送信号送出装置の一実施形態の構成を示すブロック図。
【図２】以前における制御線の障害発生に伴うスクランブル鍵の不整合を示すタイミング図。
【図３】同実施形態において、スクランブル鍵を更新する際のＥＣＭ送出装置とスクランブラとの間の情報の送受信動作を示すシーケンス図。
【図４】同実施形態においてスクランブル鍵の整合がとれた様子を説明するために示すタイミング図。
【図５】同実施形態において、スクランブル鍵の更新を行なう際のＥＣＭ送出装置の制御手順及びその内容を示すフローチャート。
【図６】同実施形態において、スクランブル鍵の更新を行なう際のスクランブラの制御手順及びその内容を示すフローチャート。
【図７】同実施形態において、スクランブル制御情報の送信に障害が発生した場合に、スクランブル鍵の整合がとれた様子を説明するために示すタイミング図。
【図８】同実施形態において、制御応答情報の送信に障害が発生した場合に、スクランブル鍵の整合がとれた様子を説明するために示すタイミング図。
【符号の説明】
【００４０】
１１…ＥＣＭ送出装置、１２…多重化装置、１３…スクランブラ、１４…制御線、１１１…スクランブル制御情報通信部、１１２…ＥＣＭパケット送出・更新制御部、１３１…内部メモリ、１３２…スクランブル制御情報通信部。
【図１】
2007235326.tif 000003
【図２】
2007235326.tif 000004
【図３】
2007235326.tif 000005
【図４】
2007235326.tif 000006
【図５】
2007235326.tif 000007
【図６】
2007235326.tif 000008
【図７】
2007235326.tif 000009
【図８】
2007235326.tif 000010